(57)【要約】    【課題】  トレーナーによる適切な指導情報を映像で表示し、多人数のユーザーを効果的に指導してトレーナー不足等を解消することができる水中運動指導システムを提供する。  【解決手段】  水中で運動具２を使用するユーザーに水中運動の指導に関した各種情報を提供する水中運動指導システムであって、操作手段4から運動開始指令が送出されてくると、その操作手段４に予め割り当てられた識別番号に対応するユーザーの個人情報や個別メニューをメモリ５ｃから読み出してその個別メニューに基づく動作を開始し、表示手段６を制御して前記水中運動具２の使用方法、運動順序、運動経過を表示させ、検出手段３ｅから検出信号が順次送出されてくると、前記メモリ５ｃの基準値と比較し、かつ、目標値を演算処理して当該ユーザーに最適な運動となる指導情報を画面に表示させる動作を繰り返し、この水中運動の終了時に運動結果や達成度等を前記画面に表示させる制御を行う制御手段５ｄとを備えた。【選択図】      図  ２
2006129957.tif 000002
【特許請求の範囲】
【請求項１】
水中で多数の機種の運動具を、その全部または各使用者の運動目的に応じて限定機種を使用するユーザーにそれぞれの機種各々の特長ある水中運動の指導に関した各種情報を提供する水中運動指導システムであって、
前記水中運動の指導情報、設定情報、基準値、前記ユーザーの個人情報および個別メニューを記憶するとともに、身体状況の検出値、運動経過や運動結果の情報を記憶するメモリと、
前記水中運動具の使用方法、運動順序、運動使用時間、運動経過、指導内容、運動結果および達成度等を画面に表示する表示手段と、
前記水中運動具の使用や進行に関する指令を発する操作手段と、
前記ユーザーの運動量や身体の状況を検出して検出信号を出力する検出手段と、
前記操作手段から運動開始指令が送出されてくると、その操作手段に予め割り当てられた識別番号に対応するユーザーの個人情報や個別メニューを前記メモリから読み出してその個別メニューに基づく動作を開始し、前記表示手段を制御して前記水中運動具の使用方法、運動順序、運動経過を表示させ、前記検出手段から検出信号が順次送出されてくると、前記メモリの基準値と比較し、かつ、目標値を演算処理して当該ユーザーに最適な運動となる指導情報を前記画面に表示させる動作を繰り返し、この水中運動の終了時に運動結果や達成度等を前記画面に表示させる制御を行う制御手段と、を備えた水中運動指導システム。
【発明の詳細な説明】
【技術分野】
【０００１】
本発明は、プール等の水中に設置された運動具をユーザーが効果的に使用可能とし得る水中運動指導システムに関する。
【背景技術】
【０００２】
水中では、水の浮力によって、肩まで入水した場合は体重も約１／１０となるため、身体の関節に対する負担が軽減される。また、水中では、足や腰に水圧がかかり、静脈を刺激して新陳代謝を促進させる。
そこで、水中運動を行うと、地上運動では得られない様々な効果があり、高齢者や女性の健康増進、体力増強に良いため、スポーツジムやプール等で水中運動教室が普及している。
この水中運動教室では、自転車式運動具等各種の運道具をプールの水中に設置し、これをユーザーが水中で足踏みや屈伸や身体のひねり、ボートこぎなどの運動をするのが一般である。
【０００３】
しかし、この運動具による水中運動は、誤った使い方や過剰になると健康を害して逆効果になり、また、無目標では効果も低い。このために指導者（トレーナーあるいはインストラクター）による適切な指導が必要である。
トレーナーは、通常、１人で数人のユーザーを担当し、各ユーザーの個人情報に基づいて予めメニューあるいはプログラムを作成したうえ、プールサイドで指導を行う。
このときは、トレーナーが水中のユーザーに使用開始の合図をして多機種の運動具等をそれぞれ異なった水中運動を行わせ、その状況をトレーナーが見ながら適宜助言して最適な運動となるように指導している。このため、一人のトレーナーが運動方法の違う運動を多数の人に指導することは困難であった。
【発明の開示】
【発明が解決しようとする課題】
【０００４】
ところで、トレーナーの指導による水中運動は、１人で数人のユーザーを担当するシステムになっているため、水中運動教室のようにユーザーが数十人単位であると、それに応じたトレーナーが必要となる。
このトレーナーは、ユーザーそれぞれのメニューに基づき、運動の状況を把握しながら指導しなければならないため、１人で担当し得る人員には一定の限界があった。
【０００５】
本発明は、上記課題に鑑みてなされたもので、例えば８機種の水中運動方法をトレーナーによる適切な指導情報を映像で表示し、多人数のユーザーを効果的に指導してトレーナー不足等を解消することができる水中運動器具指導システムを提供することを目的としている。
【課題を解決するための手段】
【０００６】
上記目的を達成するため、本発明は、水中で運動具を使用するユーザーに水中運動の指導に関した各種情報を提供する水中運動指導システムであって、前記水中運動の指導情報、設定情報、基準値、前記ユーザーの個人情報および個別メニューを記憶するとともに、身体状況の検出値、運動経過や運動結果の情報を記憶するメモリと、前記水中運動具の使用方法、運動順序、運動経過、指導内容、運動結果および達成度等を画面に表示する表示手段と、前記水中運動具の使用や進行に関する指令を発する操作手段と、前記ユーザーの運動量や身体の状況を検出して検出信号を出力する検出手段と、前記操作手段から運動開始指令が送出されてくると、その操作手段に予め割り当てられた識別番号に対応するユーザーの個人情報や個別メニューを前記メモリから読み出してその個別メニューに基づく動作を開始し、前記表示手段を制御して前記水中運動具の使用方法、運動順序、運動経過を表示させ、前記検出手段から検出信号が順次送出されてくると、前記メモリの基準値と比較し、かつ、目標値を演算処理して当該ユーザーに最適な運動となる指導情報を前記画面に表示させる動作を繰り返し、この水中運動の終了時に運動結果や達成度等を前記画面に表示させる制御を行う制御手段と、を備えたことを特徴としている。
【発明の効果】
【０００７】
以上説明したように、本発明による水中運動指導システムは、表示手段の画面に水中運動具の使用方法、運動順序、運動経過、運動結果および達成度等を映像表示して、ユーザー個別に適切な指導情報を提供することから、多人数のユーザーを効率良く指導できるうえ、従来のように直接指導時に生じていたトレーナー不足等の問題を解消し得る効果がある。
【発明を実施するための最良の形態】
【０００８】
以下、本発明に係る水中運動指導システムの実施形態について、図面を参照しながら詳述する。
図１は、本発明の一実施形態である水中運動指導システムの概要構成を自転車式運動具を例にとって示す説明図である。
この水中運動指導システム１は、自転車式運動具２、端末機３、リモコン４、パソコン５およびモニタ６を備えており、自転車式運動具２をプールＰで使用する各ユーザーＵにプールサイドＳの各モニタ６から情報を提供して指導する構成になっている。
【０００９】
自転車式運動具２は、本体２ａの上部がサドルになっており、左右の側部からペダル２ｂを突出させている。そして、後部側からスプーン状の羽根２ｃを突出させており、ユーザーＵがサドルに跨ってペダル２ｂを踏むと、羽根２ｃが上下動し、足踏み運動が水中に伝達されるようになっている。
また、この本体２ａは、前部側が支持ポール２ｄの下端により支持されている。この支持ポール２ｄは、上部側にアームを兼ねたハンドル２ｅを取り付けており、このハンドル２ｅの両端をプールサイドＳに対し強固に固着している。
これにより、自転車式運動具２が、プールサイドＳからプールＰ側に延出した状態で吊り下げられている。
【００１０】
端末機３は、ケース３ａの下部がアーム３ｂの一端に固着されている。このアーム３ｂは、他端が前記支持ポール２ｄの上部に取り付けられており、ケース３ａを垂直に保持している。
ケース３ｃは、防水構造となっており、プールＰ側に向いた前部側に操作部３ｃとしてキースイッチ群が配設され、その上部に受信部３ｄが設けられている。このキースイッチ群としては、電源オン・オフキー、運動開始終了用のスタート・ストップキーおよびトレーニングコース選択用のセレクトキー等からなる。
【００１１】
受信部３ｄは、受光センサであって、リモコン４からの赤外線信号を受信し、電気信号に変換して出力するようになっている。
リモコン４は、防水時計状のケースの上面に押しボタンを設けており、ケース内にスイッチおよび送信回路を内蔵している。そして、ケースは、リストバンドに取り付けられるようになっており、ユーザーＵの腕に簡単に装着できるようにしている。
このリモコン４は、押しボタンを押すとスイッチがオンとなり、送信回路からスタート指令が赤外線信号として送信される。また、押しボタンを再度押すと、ストップ指令が送信されるようになっている。
【００１２】
パソコン（ＰＣ）５は、普及型の情報処理装置であって、図２に示す如く入力部５ａ、出力部５ｂ、メモリ５ｃおよび制御部５ｄからなり、図示省略しているがキーボード、表示部、マウス等を備えている。
このパソコン５は、Ｉ／Ｏポートに複数の端子を有したコネクタが接続されている。また、このコネクタの各端子には、防水ケーブルを介して複数台の端末機３およびモニタ６が接続されている。
【００１３】
このモニタ６は、ＣＲＴタイプであり、キャビネット６の下面がポール６ｂの上端に支持されている。このポール６ｂは、下端がプールサイドＳに固着され、画面６ｆがプールＰ側に向くようにモニタ６を保持している。
なお、このモニタ６は、前記自転車式運動具２に対応し、ユーザーＵがモニタ６の画面６ｆを見ながら水中運動を行えるように、同数がプールサイドＳに配置されている。
【００１４】
検出部３ｅは、図示省略しているが、信号変換回路や端子部を備えている。この端子部は、端末機３の出力部３ｆに接続される一方、血圧計、心拍数計および呼吸数計が接続されている。
これら計器は、ユーザーＵの身体に装着され、運動中の測定値を信号変換回路に出力する。この信号変換回路は、測定値を電気信号に変換して端末機３の出力部３ｆに送出する。
この出力部３ｆには、前記操作部３ｃ、受信部３ｄの出力も導かれており、ケーブルを介してパソコン５に接続されている。
そして、検出部３ｅ、操作部３ｃおよび受信部３ｄからの信号をパソコン５の入力部５ａ側に送出する。
【００１５】
このパソコン５は、ＣＰＵ、ＲＯＭおよびＲＡＭからなる制御部５ｄがメモリ５ｃを備えている。このメモリ５ｃは、水中運動に必要な指導情報、各種設定情報、基準値、ユーザーＵの個人情報および個別メニュー等を所定エリヤに記憶するとともに、身体状況の検出値、運動経過や運動結果の情報等を所定エリヤに記憶する。
制御部５ｄは、入力部５ａ、出力部５ｂその他の回路各部とその機能に応じて一方向あるいは双方向性に接続されている。
この制御部５ｄは、複数組の端末機３およびリモコン４やキーボード等から送出されてくる指令に応じて、ユーザーＵそれぞれの水中運動を指導するための全動作を制御する構成になっている。
【００１６】
なお、モニタ６は、入力部６ｃに映像信号処理部（映像処理部）６ｄと音声信号処理部（音声処理部）６ｇとが接続されている。
映像信号処理部６ｄの出力は、ＣＲＴ６ｅに接続されており、パソコン５から送出されてくる表示制御信号を受けて画面６ｆに映像を表示させる。
音声信号処理部６ｇの出力は、スピーカ６ｈに接続されており、パソコン５から送出されてくる音声信号を受けてスピーカ６ｈからヘッドホン７を通して音声を放音させる。
【００１７】
次に、上記水中運動指導システムの動作について、図を参照しつつ説明する。
まず、水中運動教室やスポーツジムで、複数のユーザーＵに水中運動を指導する場合、パソコン５の入力操作によりトレーニングコースの選択設定や各ユーザーＵの登録を行っておく。
トレーナーが、図３に示すように、パソコン５の画面６ｆに“ＮＥＮＵ”を表示させると、設定、登録、指導目標、運動経過、運動結果および達成度等が表示される。
ここで、設定を選択すると、図示省略しているが、トレーニングコースの種別が表示される。このトレーニングコースは年齢、性別、筋力、病状等に応じてメニューや所要時間を定めたものであり、何れかを選択して設定する。
【００１８】
また、登録を選択すると、図４に示すように、ユーザーＵの情報として名前、年齢、身長、体重、血圧、心拍数、呼吸数等が表示される。
ここで、予めユーザーＵから提供された情報に基づいて各項目を入力すると、個人情報が登録される。このとき、登録者それぞれの識別情報としてＩＤ番号が付与される。
この後、選択されたトレーニングコースの種別と、使用する自転車式運動具２の番号と、そのリモコン４の番号とを、ＩＤ番号に対応させて登録する。これら登録情報や設定情報等は、メモリ５ｃに記憶される。
これにより、ユーザー各個人のＩＤ番号によって水中運動を進行させることができ、情報管理もなされる。
【００１９】
あるユーザーＵが、水中運動を始めるときは、自己のトレーニングコースに設置された自転車式運動具２に乗り、血圧計、心拍数計、呼吸数計等の器具を身体に装着する。
この状態でリモコン４の押しボタンを押すと、スタート指令が送信される。この送信信号が端末機３の受信部３ｄで受信されると、出力部３ｆからパソコン５側に伝送される。
このパソコン５の制御部５ｄは、スタート指令に応じて予め設定されたトレーニングコースの動作を実行する。
このトレーニングコースでは、ユーザーＵの個人別メニューを提供するので、自転車式運動具２の前方に設置されたモニタ６には、そのユーザーＵにとって好適な情報が提供される。
制御部５ｄは、最初に自転車式運動具の使用方法をモニタ６の画面６ｆに映像で表示させる。また、この映像とともに必要に応じて、スピーカ６ｈからヘッドホンを通じて音声を放音させる。
【００２０】
続いて、画面６ｆに運動順序を表示させる。ユーザーＵがこれに応じて運動を開始すると、そのユーザーＵに適した運動内容を表示させる。
また、端末機３の検出部３ｅから血圧、心拍数、呼吸数のデータも送出されてくる。一定以上の数値を超えるときは使用者に画面とヘッドホン７の音声で警告する。
制御部５ｄは、これらのデータをメモリ５ｃの基準値と比較し、その結果に応じて適正値を算出したうえ、適正、不適正の情報および指導内容をモニタ６の画面６ｆに表示させる。
【００２１】
ユーザーＵは、この指導内容に従って矯正しつつ運動を続ける。
制御部５ｄは、予め設定した所要時間が到来すると、モニタ６の画面６ｆにこの水中運動の終了を表示させる。
しかし、ユーザーＵが途中で終了したい場合は、リモコン４の押しボタンを押せばよい。すると、ストップ指令が送信されるので、制御部５ｄがこれに応じて即時に動作を停止させることができる。
このようにして、水中運動が終了すると、パソコン５の制御部５ｄは、水中運動中のデータを集計し、その結果を表示させる。
そして最後に、コース毎に設定された目標値と運動結果のデータとから、ズレの程度を演算して達成度を表示させる。
【００２２】
これにより、年齢、性別、筋力、病状等に応じたコースを割り当てられたユーザーＵは、自己の運動の成果をそれぞれ的確に把握することができる。
よって、多人数のユーザーＵを効率良く指導できるうえ、従来のように直接指導時に生じていたトレーナー不足等の問題を解消することができる。
なお、この水中運動指導システムは、自転車式に限らず、他の多機種の運動機種にも広く適用し得ることは勿論である。
【図面の簡単な説明】
【００２３】
【図１】本発明の一実施形態である水中運動指導システムの概要構成を示す説明図である。
【図２】水中運動指導システムの電気的構成を示すブロック線図である。
【図３】情報処理装置に表示されたメニュー画面を示す説明図である。
【図４】情報処理装置に表示された登録画面を示す説明図である。
【符号の説明】
【００２４】
２      水中運動具
３ｅ    検出手段
４      操作手段
５ｃ    メモリ
５ｄ    制御手段
６      表示手段
【図１】
2006129957.tif 000003
【図２】
2006129957.tif 000004
【図３】
2006129957.tif 000005
【図４】
2006129957.tif 000006